(57)【要約】    【課題】加工の難しい部分を合成樹脂で置き換えることにより、製造コストを押さえることのできるストラップ端部の連結具を提供する。    【解決手段】突起（７１）を有する雄部材（３）と、この突起（７１）を受け入れる中央孔（８３）を有する雌部材（４）からなるストラップ端部の連結具である。前記雄部材（３）は、本体（５）と、この本体先端に位置する先端部（７）からなり、これら本体（５）と先端部（７）は係合手段により連結可能である。前記雌部材（４）は、本体（６）と、この本体先端に位置する先端部（８）からなり、これら本体（６）と先端部（８）は係合手段により連結可能である。【選択図】図２
2008272277.tif 000002
【特許請求の範囲】
【請求項１】
突起（７１）を有する雄部材（３）と、この突起（７１）を受け入れる中央孔（８３）を有する雌部材（４）からなるストラップ端部の連結具であって、
前記雄部材（３）は、本体（５）と、この本体先端に位置する先端部（７）からなり、これら本体（５）と先端部（７）は係合手段により連結可能であり、
前記雌部材（４）は、本体（６）と、この本体先端に位置する先端部（８）からなり、これら本体（６）と先端部（８）は係合手段により連結可能であることを特徴とするストラップ端部の連結具。
【請求項２】
雄部材の本体（５）と、雌部材の本体（６）は形状が同一であって、共通部品として使用可能である請求項１記載の連結具。
【請求項３】
雄部材の先端部（７）は、突起（７１）と、基部（７２）と、脚部（７３）からなり、全体が合成樹脂により一体成形されている請求項１又は２記載の連結具。
【請求項４】
雌部材の先端部（８）は、基部（８１）と、脚部（８２）と、前記中央孔（８３）からなり、全体が合成樹脂により一体成形されている請求項１ないし３の何れかに記載の連結具。
【請求項５】
雄部材（３）を硬質樹脂で形成し、雌部材（４）を雄部材（３）よりも柔らかい樹脂で形成する請求項３又は４記載の連結具。
【請求項６】
雌雄各部材の本体（５，６）と先端部（７，８）を結合する結合手段が、（ａ）一方部材の孔（５３，６３）又は窪みと他方部材の突起（７７，８５）との嵌合、（ｂ）接着剤による接着、（ｃ）相互の溶着、（ｄ）一方部材の雄ねじと他方部材の雌ねじによるねじ込み結合、の何れか１つである請求項１ないし５のいずれかに記載の連結具。
【発明の詳細な説明】
【技術分野】
【０００１】
本発明はストラップ端部の連結具に関する。
【背景技術】
【０００２】
ネックストラップ等の両端部を開閉する連結具には、さまざまなものが知られている（例えば、下記特許文献１，２参照）。それらは、要するに、ストラップ端部に雌雄部材を設け、雄部材を雌部材に着脱自在に組み合わせることを特徴としている。
【特許文献１】特開２００１−２７５７２５公報
【特許文献２】実用新案登録第３０６９８０１号公報
【発明の開示】
【発明が解決しようとする課題】
【０００３】
特許文献１（図５，６）と特許文献２（図１２）に、断面が円形のストラップの端部同士を連結する連結具が示されている。これらは、金属等の硬質素材からなり、先端に膨出部を有する雄部材と、嵌合凹部を有する弾性素材からなる雌部材を各ストラップの先端に有する。
【０００４】
これらはいずれも複数実施例のうちの１つとして完成状態の外観だけが示されているが、それらの内部構造が全く不明であって、発明が十分に開示されていない。
【０００５】
これらの連結具には次のような問題がある。第一に、雄部材の突起を金属で加工するのは高度の鋳造又は研削技術を要し、製造費が増加していた。第二に、前記雄部材の突起を受け入れる雌部材の弾性リングを雌部材内に設定するために、雌部材の先端を内方にかしめる必要があり、それを加工するのにも高度の技術を要し、製造費が増加していた。
【０００６】
本発明は、従来技術の問題点を解決し、加工の難しい部分を合成樹脂で置き換えることにより、製造コストを押さえることのできるストラップ端部の連結具を提供することを目的とする。
【課題を解決するための手段】
【０００７】
本発明は、突起を有する雄部材と、この突起を受け入れる中央孔を有する雌部材からなるストラップ端部の連結具であって、前記雄部材は、本体と、この本体先端に位置する先端部からなり、これら本体と先端部は係合手段により連結可能であり、前記雌部材は、本体と、この本体先端に位置する先端部からなり、これら本体と先端部は係合手段により連結可能であることを特徴とする。
【発明の効果】
【０００８】
本発明によれば、従来技術と異なり、雌雄各部材は、本体と、この本体先端に位置する先端部に分離している。しかも、成型に高度な技術を要する先端部を合成樹脂に置き換えることができ、この部分を本体に後付けできるので、全体の成形が容易になる。
【発明を実施するための最良の形態】
【０００９】
雄部材の本体と、雌部材の本体は形状が同一であって、共通部品として使用可能であることが、部品数を少なくする上で、好ましい。
【００１０】
雄部材の先端部は、突起と、基部と、脚部からなり、全体が合成樹脂により一体成形されているものが、部品数を少なくする上で、好ましい。
【００１１】
雌部材の先端部は、基部と、脚部からなり、全体が合成樹脂により一体成形されているものが、部品数を少なくする上で、好ましい。
【００１２】
雌雄各部材の脚部は、バネ脚となっていることが、結合力を高める上で、好ましい。
【００１３】
雌雄各部材の本体と先端部を結合する結合手段としては、例えば、次のような機構を使用することができる。
（ａ）一方部材の孔又は窪みと他方部材の突起との嵌合
（ｂ）接着剤による接着
（ｃ）相互の溶着
（ｄ）一方部材の雄ねじと他方部材の雌ねじによるねじ込み結合
【００１４】
雄部材の突起を雌部材の基部に挿入して連結する上で、雄部材を硬質樹脂で形成し、雌部材を雄部材よりも柔らかい樹脂で形成することが好ましい。例えば、雄部材をジュラコンで製作したとき、雌部材はウレタン樹脂で形成することができる。
【実施例１】
【００１５】
以下、添付の図面に基づき、本発明の一実施例を説明する。
【００１６】
図１は、本発明の１実施例に係るネックストラップ１の全体正面図である。ストラップ２末端には、雌雄連結具３，４が取り付けられている。ストラップ２は断面円形の組紐である。図２はその雌雄連結具３，４の拡大断面図であり、（ａ）は連結前、（ｂ）は連結状態である。
【００１７】
図３は雌雄連結具に共通して使用可能な本体５，６（（ａ）は平面図、（ｂ）は正面図、（ｃ）は側面図）、図４は雄部材の先端部７（（ａ）は平面図、（ｂ）は正面図、（ｃ）は側面図、（ｄ）は底面図）、図５は雌部材の先端部８（（ａ）は平面図、（ｂ）は正面図、（ｃ）は側面図、（ｄ）は底面図）である。
【００１８】
図３に示すように、雌雄部材３，４に共通して使用可能な本体５，６は、ほぼ筒状であり、ストラップ２とほぼ等しい内径を有する。本体５，６は、ストラップの末端を収容する収容部５１，６１を有し、後端部に紐の抜け止めとなる縁部５２，６２が設けられている。また、先端近くに左右対称に円形開口５３，６３が２個所設けられている。材質は金属が好ましいが、合成樹脂でもよい。
【００１９】
雄部材先端部７は、図４に示すように、先端突起７１と、基部７２と、脚部７３からなり、全体が合成樹脂により一体成形されている。
【００２０】
先端突起７１は、頸部７４と、最先端の膨出頭部７５を有する。基部７２は、本体５，６の先端の上に位置するもので、リング状である。脚部７３は、本体５，６の中に挿入される部分であり、バネ作用を有する２本の脚７６を有する。各脚には円柱状の低い突起７７が形成されており、本体と結合させたときには、この突起７７が前記本体の円形開口５３，６３と嵌り合う。雄部材先端部７と本体５とを結合させた状態は図２の断面図に示されているとおりである。
【００２１】
雌部材先端部８は、図５に示すように、基部８１と、脚部８２からなり、全体が合成樹脂により一体成形されている。雄部材の突起７１を受け入れるため、雄部材３よりも柔らかい素材で形成することが好ましい。例えば、雄部材３をジュラコンで製作したとき、雌部材４はウレタン樹脂で形成することができる。
【００２２】
基部８１は、本体の先端の上に位置するもので、リング状である。中央孔８３が雄部材の突起７１を受け入れる。脚部８２は、本体の中に挿入される部分であり、バネ作用を有する２本の脚８４を有する。各脚８４には円柱状の低い突起８５が形成されており、本体と結合させたときには、この突起が前記本体の円形開口と嵌り合う。雌部材先端部８と本体６とを結合させた状態は図２の断面図に示されているとおりである。なお、基部８１と脚部８２の間にはわずかに段部８６が形成されている。
【００２３】
雌雄部材３，４の後端部とストラップ末端とを結合するには、図２に示すように、まず、ストラップ末端に金属片９，１０をリング状に巻き付けることにより、ストラップ２がほどけるのを防止すると共に抜け止めを形成する。このリング状金属片９，１０が本体後端部の縁部５２，６２に引っかかるので、両者は結合される。この結合作業は、雌雄先端部７，８を本体５，６に取り付ける前に行い、先端側からストラップを挿入する。
【００２４】
本発明のストラップ連結具を使用して連結するには、図２（ａ）に示す状態から、図２（ｂ）の状態になるまで、指で押し込めばよい。そのとき、雄部材３の突起７１が雌部材４の中央孔８３を変形させながら前進し、貫通状態で頸部７４のみが中央孔８３の通路を抜け出す。抜け出た状態では、段部８６が抜け止めとなって、容易には分離しない。しかし、着用者が連結具を指で引き離せば外れる程度の結合の強さである。そのため、事故でネックストラップが機械にはさまれるようなことがあれば、即座に分離可能である。
【図面の簡単な説明】
【００２５】
【図１】本発明の１実施例に係るネックストラップ１の全体正面図である。ストラップ末端には、雌雄連結具が取り付けられている。ストラップは断面円形の組紐である。
【図２】雌雄連結具の拡大断面図であり、（ａ）は連結前、（ｂ）は連結中である。
【図３】雌雄連結具に共通して使用可能な本体（（ａ）は平面図、（ｂ）は正面図、（ｃ）は側面図）である。
【図４】雄部材の先端部（（ａ）は平面図、（ｂ）は正面図、（ｃ）は側面図、（ｄ）は底面図）である。
【図５】雌部材の先端部（（ａ）は平面図、（ｂ）は正面図、（ｃ）は側面図、（ｄ）は底面図）である。
【符号の説明】
【００２６】
１     ネックストラップ
２     ストラップ
３     雄部材
４     雌部材
５     雄部材の本体
５１   収容部
５２   縁部
５３   円形開口
６     雌部材の本体
６１   収容部
６２   縁部
６３   円形開口
７     雄部材先端部
７１   先端突起
７２   基部
７３   脚部
７４   頸部
７５   膨出頭部
７６   脚
７７   突起
８     雌部材先端部
８１   基部
８２   脚部
８３   中央孔
８４   各脚
８４   脚
８５   突起
８６   段部
９，１０      リング状金属片
【図１】
2008272277.tif 000003
【図２】
2008272277.tif 000004
【図３】
2008272277.tif 000005
【図４】
2008272277.tif 000006
【図５】
2008272277.tif 000007